(57)【要約】【課題】リモコンの小型化を阻害せず、リモコンにおいてキーが故障しても当該キーの機能を他のキーで代用させることができる受信装置を提供する。【解決手段】リモコン５０は、複数のキーを備え、当該複数のキーのそれぞれが操作されることにより、それぞれ異なる赤外線の信号を送信する。受信装置１は、リモコン５０から受信した信号の種類に基づいて、それぞれ異なる種類の動作を実行する。なお、受信装置１では、リモコン５０から受信した信号の種類と、実行する動作の種類との対応関係を変更させることができる。【選択図】        図１
2004201090.tif 000002
【特許請求の範囲】
【請求項１】
外部の送信装置から送信された信号を受信し、当該受信した信号の種類に応じた種類の動作を実行する受信装置であって、
前記受信した信号の種類と、当該受信した信号の種類に応じて実行する動作の種類とを対応させて記憶する第１の記憶部と、
前記送信装置からの要求に基づいて、前記第１の記憶部における、前記受信した信号の種類と、当該受信した信号の種類に応じて実行する動作の種類との対応関係を変更させる、記憶変更部と、
前記受信した信号の種類の中の、対応する動作の種類を変更させるべきではない信号の種類を記憶する第２の記憶部とを含み、
前記記憶変更部は、前記外部送信装置からの要求が、前記第２の記憶部において対応する動作の種類を変更させるべきではない信号の種類について、実行する動作の種類を変更させるものであれば、前記第１の記憶部における対応関係を変更させる前に、その旨を報知する、受信装置。
【請求項２】
外部の送信装置から送信された信号を受信し、当該受信した信号の種類に応じた種類の動作を実行する受信装置であって、
前記送信装置からの要求に基づいて、前記受信した信号の種類と、当該受信した信号の種類に応じて実行する動作の種類を変更する、受信装置。
【請求項３】
前記受信した信号の種類と、当該受信した信号の種類に応じて実行する動作の種類とを対応させて記憶する第１の記憶部と、
前記送信装置からの要求に基づいて、前記第１の記憶部における、前記受信した信号の種類と、当該受信した信号の種類に応じて実行する動作の種類との対応関係を変更させる、記憶変更部とをさらに含む、請求項２に記載の受信装置。
【請求項４】
前記受信した信号の種類の中の、対応する動作の種類を変更させるべきではない信号の種類を記憶する第２の記憶部をさらに含み、
前記記憶変更部は、前記外部送信装置からの要求が、前記第２の記憶部において対応する動作の種類を変更させるべきではない信号の種類について、実行する動作の種類を変更させるものであれば、前記第１の記憶部における対応関係を変更させる前に、その旨を報知する、請求項３に記載の受信装置。
【発明の詳細な説明】
【０００１】
【発明の属する技術分野】
本発明は、受信装置に関し、特に、リモートコントローラから送信された情報を受信できかつ当該受信した情報に基づいて動作する受信装置に関する。
【０００２】
【従来の技術】
従来から、リモートコントローラ（以下、リモコンと略す）において、当該リモコンに複数のキーが備えられ、その中の使用頻度の高いキーが故障することがあった。このような事態への対処として、リモコンにおいて、キーに対応する機能を変更させることが考えられる。
【０００３】
リモコンでのキーに対応する機能の変更について技術としては、特許文献１に、リモコンの出力する信号を受信する受信装置の側のモニタに、リモコンのキーに対応する機能を表示させ、ユーザに、モニタの表示を参照させながら所望する機能に対応するキーを操作させる技術が開示されている。
【０００４】
また、特許文献２および特許文献３には、リモコン側で、キーと受信装置に出力する信号との対応関係を変更する処理が実行されることにより、キーに対応する機能を変更する技術が開示されている。
【０００５】
【特許文献１】
特開２００１−３５９１７９公報
【０００６】
【特許文献２】
特開平７−９５６６２号公報
【０００７】
【特許文献３】
特開平６−１８９３７４号公報
【０００８】
【発明が解決しようとする課題】
しかしながら、特許文献１に記載の技術は、リモコンにおいて故障したキーの機能を他のキー等に填補させて当該キーを使用しなくても良くする技術とは言えなかった。つまり、この技術は、リモコンにおけるキーの故障に完全に対応した技術とは言い難かった。
【０００９】
また、特許文献２および特許文献３によると、リモコン側に搭載すべき機能が多くなるため、リモコンが大型化して使い勝手が悪くなると考えられた。また、リモコンにおいてキーが故障した場合、そのようなキーがあるままで、キーと出力信号との対応関係を変更する処理を実行しなければならないため、使い勝手が良いとは言い難かった。
【００１０】
本発明は上述したかかる実情に鑑み考え出されたものであり、その目的は、リモコンの小型化を阻害することなく、リモコンにおいてキーが故障しても当該キーの機能を他のキーで代用させることができる受信装置を提供することである。
【００１１】
【課題を解決するための手段】
本発明のある局面に従った受信装置は、外部の送信装置から送信された信号を受信し、当該受信した信号の種類に応じた種類の動作を実行する受信装置であって、前記受信した信号の種類と、当該受信した信号の種類に応じて実行する動作の種類とを対応させて記憶する第１の記憶部と、前記送信装置からの要求に基づいて、前記第１の記憶部における、前記受信した信号の種類と、当該受信した信号の種類に応じて実行する動作の種類との対応関係を変更させる、記憶変更部と、前記受信した信号の種類の中の、対応する動作の種類を変更させるべきではない信号の種類を記憶する第２の記憶部とを含み、前記記憶変更部は、前記外部送信装置からの要求が、前記第２の記憶部において対応する動作の種類を変更させるべきではない信号の種類について、実行する動作の種類を変更させるものであれば、前記第１の記憶部における対応関係を変更させる前に、その旨を報知することを特徴とする。
【００１２】
本発明の他の局面に従った受信装置は、外部の送信装置から送信された信号を受信し、当該受信した信号の種類に応じた種類の動作を実行する受信装置であって、前記送信装置からの要求に基づいて、前記受信した信号の種類と、当該受信した信号の種類に応じて実行する動作の種類を変更することを特徴とする。
【００１３】
また、本発明に従った受信装置は、前記受信した信号の種類と、当該受信した信号の種類に応じて実行する動作の種類とを対応させて記憶する第１の記憶部と、前記送信装置からの要求に基づいて、前記第１の記憶部における、前記受信した信号の種類と、当該受信した信号の種類に応じて実行する動作の種類との対応関係を変更させる、記憶変更部とをさらに含むことが好ましい。
【００１４】
また、本発明に従った受信装置は、前記受信した信号の種類の中の、対応する動作の種類を変更させるべきではない信号の種類を記憶する第２の記憶部をさらに含み、前記記憶変更部は、前記外部送信装置からの要求が、前記第２の記憶部において対応する動作の種類を変更させるべきではない信号の種類について、実行する動作の種類を変更させるものであれば、前記第１の記憶部における対応関係を変更させる前に、その旨を報知することが好ましい。
【００１５】
【発明の実施の形態】
以下、図面を参照しつつ、本発明の実施の形態について説明する。なお、以下の説明では、同一の部品には、特記された場合を除き、同一の符号が付され、それらの名称および機能も同じである。したがって、それらについての詳細な説明は繰り返さない。
【００１６】
図１は、本発明の一実施の形態である受信装置１の構成を周辺部とともに示す図である。受信装置１は、アンテナ２から放送信号を受信し、受信した放送信号のうち所望されるチャンネルに対応の信号を、種々の処理を施した後、テレビジョン受像機などの表示部３に画面表示する。
【００１７】
受信装置１は、アンテナ２を介して受信した放送信号からユーザが所望したチャンネルに対応の信号を選択的に抽出するチューナ１１、ＣＰＵ（Central Processing Unit）１７およびメモリ１８を含む制御部１２、チューナ１１により抽出された所望チャンネルに対応の信号について、受信装置１にて処理可能な信号に変換する受信処理部１３、図示されないフロントパネルに設けられて、ユーザにより操作されるボタンなどの操作部１４、リモコン（リモートコントローラの略）５０から赤外線信号を受信するリモコン受信部１５、および、ＯＳＤ（on screen display）を含む表示処理部１６を備える。また、受信装置１は、リモコン５０から受信した信号の種類と、選択するチャンネルを含む動作の種類とが、関連付けて記憶されるデータベース１０を備える。
【００１８】
ユーザが操作部１４を操作して、またはリモコン５０を操作しリモコン受信部１５を介して、所望チャンネルを選択的に指定すると、指定されたチャンネルの情報は制御部１２に与えられる。制御部１２のＣＰＵ１７は、与えられた所望チャンネルの情報に基づいてチューナ１１を、受信した放送信号から該所望チャンネルに対応の信号を抽出するように制御する。
【００１９】
図２は、リモコン５０の平面図である。リモコン５０は、複数のキー５００〜５２３を備えている。キー５００は、操作されることにより、受信装置１の電源のオン／オフを切替えることができる。キー５０１〜５１２は、それぞれ、基本的にチャンネル１〜１２に対応するものであり、また、受信装置１に対して数値を入力する際には、それぞれチャンネルの数値に対応した値を入力するのに使用される。また、キー５２０は、表示部３（ディスプレイ）に対する種々の設定をする際に利用されるキーである。
【００２０】
なお、本実施の形態のリモコン５０では、キー５００〜５２３のそれぞれが操作されることにより、それぞれ異なる赤外線の信号を送信することができる。そして、本実施の形態では、受信装置１において後述するような処理がなされることにより、受信装置１は、リモコン５０において操作されたキーと実行する動作との対応関係を変更させることができる。
【００２１】
図３は、データベース１０における記憶される内容を示す図である。詳しくは、図３（Ａ）には、リモコン５０から受信するＩＲ（Infrared Radiation）コードと、受信装置１において実行する処理の種類に対応したコードであるキーコードとの対応を表すテーブルが示されており、図３（Ｂ）は、当該キーコードと実際の処理の内容とを関連付けるテーブルが示している。
【００２２】
図３（Ａ）に示されるように、受信装置１では、リモコン５０の各キーに対応したＩＲコードが、それぞれ、キーコードと、関連付けられている。そして、図３（Ｂ）に示されるように、各キーコードは、それぞれ、受信装置１における具体的な処理の内容（図３（Ｂ）では便宜上「Ａ」「Ｂ」「Ｃ」「Ｄ」等の記号で記載されている）と関連付けられている。
【００２３】
図４に、制御部１２が、リモコン５０から信号を受信した際に、受信した信号のＩＲコードに対応した処理を受信装置１において実行する処理を説明するための図を示す。制御部１２は、リモコン５０から信号を受信すると、まず、その信号に含まれるＩＲコードを、図３（Ａ）に示したテーブルを参照してキーコードに変換する。そして、制御部１２は、変換により得られたキーコードを、図３（Ｂ）に示したテーブルを参照して実際の処理の内容に変換し、変換により得られた処理の内容を、実行する。
【００２４】
次に、図５に示されたフローチャートを参照して、制御部１２により実行されるキー割当て変更処理について説明する。なお、キー割当て変更処理は、リモコン５０において操作されるキーの種類と、受信装置１において実行される動作の種類との対応関係を変更するために実行される処理である。
【００２５】
操作部１４またはリモコン５０においてキー割当て変更処理を実行するための操作がなされると、制御部１２は、ステップＳ１（以下、ステップを省略する）で、リモコン５０のキーが割当てられるキーコードを変更するための画面（以下、割当て変更画面と略す）を表示部３に表示させる。このときに表示させる画面の一例を図６に示す。
【００２６】
図６を参照して、割当て変更画面では、画面３０内に、変更対象キー表示部３１、現在の設定キー表示部３２、設定キー表示部３３、決定ボタン３４、取消ボタン３５、および、リセットボタン３６が表示されている。
【００２７】
変更対象キー表示部３１は、キー５０１〜５２３の中で割当てを変更するキーを表示する。現在の設定キー表示部３２は、変更対象キー表示部３１に示されたキーが現在どのキーコードに設定されているかを表示する。設定キー表示部３３は、変更対象キー表示部３１に示されたキーをどのキーコードに対応させるかを表示する。決定ボタン３４は、変更対象キー表示部３１および設定キー表示部３３に示されたキーの組合せでキーの割当ての変更内容を決定するために操作されるボタンである。取消ボタン３５は、現在のキー割当て変更処理を終了させるために操作されるボタンである。リセットボタン３６は、キー５０１〜５２３のすべてのキーが対応するキーコードを、出荷時のものに戻すために操作されるボタンである。
【００２８】
なお、変更対象キー表示部３１、現在の設定キー表示部３２、設定キー表示部３３、決定ボタン３４、取消ボタン３５、または、リセットボタン３６のどこがユーザの操作の対象となるかは、ユーザが、操作部１４またはリモコン５０を適宜操作することにより、カーソルを移動させる等して決定される。
【００２９】
再度、図５を参照して、Ｓ１の処理の後、制御部１２は、Ｓ２で、ユーザの操作の対象が変更対象キー表示部３１とされているか否かを判断し、そうであればＳ６へ、そうでなければＳ３へ、処理を移行させる。
【００３０】
Ｓ３では、制御部１２は、ユーザの操作の対象が設定キー表示部３３とされているか否かを判断し、そうであればＳ７へ、そうでなければＳ４へ処理を移行させる。
【００３１】
Ｓ４では、制御部１２は、ユーザの操作の対象がリセットボタン３６とされているか否かを判断し、そうであればＳ１１へ、そうでなければＳ５へ処理を移行させる。
【００３２】
Ｓ５では、制御部１２は、ユーザの操作の対象が取消ボタン３５とされているか否かを判断し、キー割当て変更処理を終了させ、そうでなければＳ２に処理を戻す。
【００３３】
Ｓ６では、制御部１２は、変更対象キー表示部３１に対応するキーの種類の入力をユーザから受付けて、Ｓ８に処理を進める。なお、Ｓ６では、制御部１２は、現在の設定キー表示部３２に、図３（Ａ）の表において変更対象キー表示部３１に表示させるキーの種類（ＩＲコード）に対応したキーコードを表示させる。
【００３４】
Ｓ７では、制御部１２は、設定キー表示部３３に対応するキーコードの入力をユーザから受付けて、Ｓ８に処理を進める。
【００３５】
Ｓ８では、制御部１２は、決定ボタン３４がユーザの操作の対象とされたか否かを判断し、そうであればＳ９へ処理を進め、そうでなければＳ２に処理を戻す。
【００３６】
Ｓ９では、制御部１２は、変更対象キー表示部３１に対応するキーの種類として入力されたキーが、リモコン５０において、キーコードの割当ての変更を禁止されるキー以外であるか否かを判断する。このようなキーとしては、たとえば、受信装置１の電源のオン／オフを切替えるキー５００や、キー割当て変更処理を開始させるためのキーが挙げられる。受信装置１では、リモコン５０に備えられたキーの中で、キーコードの割当ての変更を禁止されるキーは、データベース１０またはメモリ１８において、記憶されている。そして、キーコードの割当ての変更を禁止されるキーで以外であると判断されると、Ｓ１０に処理が移行され、変更を禁止されるキーであると判断されると、Ｓ２に処理が戻される。なお、制御部１２は、Ｓ９で、変更対象キー表示部３１に対応するキーの種類が変更を禁止されるキーであると判断した場合には、その旨を、表示部３に表示した後、Ｓ２に処理を戻すことが好ましい。
【００３７】
Ｓ１０では、制御部１２は、データベース１０におけるＩＲコードとキーコードとの対応関係を、変更対象キー表示部３１および設定キー表示部３３に示されたキーの組合せで変更するよう設定して、キー割当て変更処理を終了させる。つまり、Ｓ１０の処理により、図３（Ａ）に示されたテーブルは、変更される。具体的には、たとえば、図６の画面３０に示したように、キー５０１〜５２３の中の「Ｄｉｓｐ」というキーに対応したキーの対応するキーコードが「６」に変更される場合には、図３（Ａ）に示されたテーブルは、図７に示すように変更される。
【００３８】
図３（Ａ）に示したテーブルでは、「Ｄｉｓｐ」というＩＲコードに対応したキーコードが「Ｄｉｓｐ」であったが、図７に示したテーブルでは、「Ｄｉｓｐ」というＩＲコードに対応するキーコードは「６」とされている。これにより、リモコン５０で「Ｄｉｓｐ」に対応するキーが操作されると、テーブルを変更される前では、受信装置１では当該操作に応じて受信された信号が「Ｄｉｓｐ」というキーコードに変換された後「Ｄｉｓｐ」というキーコードに対応する処理が実行されたが、テーブルを変更された後では、受信装置１では当該操作に応じて受信された信号が「６」というキーコードに変更された後「６」というキーコードに対応する処理が実行される。
【００３９】
一方、Ｓ１１では、制御部１２は、キー５０１〜５２３のすべてのキーが対応するキーコードを出荷時のものに、具体的には、図３（Ａ）に示した表を出荷時のものに、戻す。なお、データベース１０には、図３（Ａ）に示した表の出荷時の状態が、別に、記憶されている。
【００４０】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【００４１】
【発明の効果】
以上説明した本発明によると、リモコンにおいてキーの故障等が生じた場合でも、リモコンは、受信装置に対して受信した信号の種類と実行する動作の種類との対応関係を変更する処理を要求すれば良く、キーと送信する信号の種類との対応関係を変更する処理を実行する必要はない。これにより、リモコンの小型化を阻害することなく、リモコンにおいてキーが故障しても当該キーの機能を他のキーで代用させることができる。
【図面の簡単な説明】
【図１】本発明の一実施の形態である受信装置の構成を周辺部とともに示す図である。
【図２】図１のリモコンの平面図である。
【図３】図１のデータベースにおける記憶される内容を示す図である。
【図４】図１の制御部が、リモコンから信号を受信した際に、受信した信号のＩＲコードに対応した処理を受信装置において実行する処理を説明するための図である。
【図５】図１の制御部により実行されるキー割当て変更処理のフローチャートである。
【図６】キー割当て変更処理が実行される際に表示される割当て変更画面の一例を示す図である。
【図７】図３（Ａ）に示されたテーブルの変更された状態を示す図である。
【符号の説明】
１  受信装置、２  アンテナ、３  表示部、１０  データベース、１１  チューナ、１２  制御部、１３  受信処理部、１４  操作部、１５  リモコン受信部、１６  表示処理部、１７  ＣＰＵ、１８  メモリ、５０  リモコン。
【図１】
2004201090.tif 000003
【図２】
2004201090.tif 000004
【図３】
2004201090.tif 000005
【図４】
2004201090.tif 000006
【図５】
2004201090.tif 000007
【図６】
2004201090.tif 000008
【図７】
2004201090.tif 000009